(57)【要約】【課題】ユーザに応じて風量を制御する意図を適切に報知することのできる空気調和機を提供する。【解決手段】表示器１０９は、吹出口から送出される調和空気に応じた表示を行う。表示制御部１２３は、暖房モードであるか冷房モードであるかと、室内に存在するユーザの温冷感覚とに基づいて、表示器１０９の表示態様を変化させる。例えば、暖房モードである場合において、表示制御部１２３は、ユーザが寒く感じていると、表示器１０９を暖色で表示させ、ユーザが暑く感じていると、表示器１０９を寒色若しくは中間色で表示させる。また、冷房モードである場合において、表示制御部１２３は、ユーザが暑く感じていると、表示器１０９を寒色で表示させ、ユーザが寒く感じていると、表示器１０９を暖色若しくは中間色で表示させる。【選択図】図５
2020098061.tif 000002
【特許請求の範囲】
【請求項１】
調和空気を吹出口から室内に送出する際に、当該室内に存在するユーザに応じて風量を制御する空気調和機であって、
前記吹出口から送出される前記調和空気に応じた表示を行う表示手段と、
前記調和空気が暖気であるか冷気であるかと、前記ユーザの温冷感覚とに基づいて、前記表示手段の表示態様を変化させる表示制御手段と、
を備える空気調和機。
【請求項２】
暖房モード又は冷房モードで動作し、暖気又は冷気の前記調和空気を生成する空調手段と、
室内の熱画像データを検出する熱画像検出手段と、
前記熱画像データに基づいて、前記ユーザが寒く感じているか、又は、暑く感じているかを特定する特定手段と、
前記表示制御手段は、前記空調手段の動作状態と、前記特定手段による特定結果とに基づいて、前記表示手段の表示態様を変化させる、
請求項１に記載の空気調和機。
【請求項３】
前記表示制御手段は、前記空調手段が暖房モードで動作している場合において、前記特定手段により前記ユーザが寒く感じていると特定されると、前記表示手段を暖色で表示させ、前記特定手段により前記ユーザが暑く感じていると特定されると、前記表示手段を中間色若しくは寒色で表示させる、
請求項２に記載の空気調和機。
【請求項４】
前記表示制御手段は、前記空調手段が冷房モードで動作している場合において、前記特定手段により前記ユーザが暑く感じていると特定されると、前記表示手段を寒色で表示させ、前記特定手段により前記ユーザが寒く感じていると特定されると、前記表示手段を中間色若しくは暖色で表示させる、
請求項２又は３に記載の空気調和機。
【請求項５】
前記吹出口は複数設けられており、
前記表示手段は、前記吹出口のそれぞれの近傍に、同数配置されている、
請求項１から４の何れか１項に記載の空気調和機。
【請求項６】
調和空気を吹出口から室内に送出する際に、当該室内に存在するユーザに応じて風量を制御する空気調和機における、当該吹出口の近傍に配置された表示器の表示を制御する表示制御方法であって、
前記調和空気が暖気であるか冷気であるかと、前記ユーザの温冷感覚とに基づいて、前記表示器の表示態様を変化させる表示制御ステップ、
を備える表示制御方法。
【発明の詳細な説明】
【技術分野】
【０００１】
本発明は、空気調和機、および、表示制御方法に関する。
【背景技術】
【０００２】
複数の吹出口のそれぞれから、調和空気を異なる風量にて吹き分けて送出できる空気調和機が知られている。この空気調和機は、例えば、空調エリア内に２人のユーザであるユーザＡ，Ｂが存在する場合に、ユーザＡ，Ｂがそれぞれ感じている温冷感覚に応じて、ユーザＡ，Ｂに向けた調和空気の風量をそれぞれ制御する。なお、温冷感覚とは、例えば、暑く感じているか、又は、寒く感じているかである。また、個々のユーザの温冷感覚は、例えば、室内の熱画像データにおけるユーザＡ，Ｂのの熱画像データから特定されるものとする。
【０００３】
具体例を挙げて説明すると、暖房時において、ユーザＡが寒く感じていると特定され、また、ユーザＢが暑く感じていると特定された場合に、空気調和機は、ユーザＡに向けて一方の吹出口から送出する暖気の風量を、強める制御を行い、また、ユーザＢに向けて他方の吹出口から送出する暖気の風量を、弱める制御を行う。
これにより、寒く感じているユーザＡの体感温度を上げると共に、暑く感じているユーザＢの体感温度を下げることができる。つまり、同じ空調エリア内に、温度感覚が異なっているユーザＡ，Ｂが存在する場合でも、各ユーザの快適性を向上させることができる。
【０００４】
なお、このように、個々のユーザに応じて風量を制御して、各ユーザの快適性を向上させる快適運転を、空気調和機が行っていても、殆どのユーザは、そのような快適運転に気が付かないのが現状であった。
【０００５】
そのため、例えば、特許文献１に開示されている発明を発展させ、風量を表示するための表示器を空気調和機に設けることが考えられる。なお、特許文献１の発明では、空気調和機に設定される設定温度に応じて、発光色の異なる複数のＬＥＤの何れかを点灯させているが、これを適宜変更して、風量について表示できるようにする。
例えば、風量を表示するための表示器を、空気調和機の各吹出口にそれぞれ対応させて配置させる。そして、空気調和機は、快適運転を行っている際に、各吹出口からの風量を、それぞれの表示器に表示する。
【先行技術文献】
【特許文献】
【０００６】
【特許文献１】特開２０１５−１１４０３１号公報
【発明の概要】
【発明が解決しようとする課題】
【０００７】
しかしながら、単純に、風量を表示器に表示しても、快適運転の意図がユーザに正しく伝わらないことが懸念される。
つまり、暖房時において、風量を強める制御を行っている場合では、寒く感じているユーザの体感温度を上げることを意図しているものの、一方の冷房時において、風量を強める制御を行っている場合では、暑く感じているユーザの体感温度を下げることを意図している。また、暖房時において、風量を弱める制御を行っている場合では、暑く感じているユーザの体感温度を下げることを意図しているものの、一方の冷房時において、風量を弱める制御を行っている場合では、寒く感じているユーザの体感温度を上げることを意図している。
【０００８】
そのため、単純に風量が表示されたとしても、それによって、体感温度が上がるのか下がるのかについて、ユーザが直感的に把握できないおそれがあった。
【０００９】
このようなことから、ユーザに応じて風量を制御する意図をそのユーザが直感的に把握できる技術が求められていた。
【００１０】
本発明は、上述したような課題を解決するためになされたものであり、ユーザに応じて風量を制御する意図を適切に報知することのできる空気調和機、および、表示制御方法を提供することを目的とする。
【課題を解決するための手段】
【００１１】
上記目的を達成するため、本発明に係る空気調和機は、
調和空気を吹出口から室内に送出する際に、当該室内に存在するユーザに応じて風量を制御する空気調和機であって、
前記吹出口から送出される前記調和空気に応じた表示を行う表示手段と、
前記調和空気が暖気であるか冷気であるかと、前記ユーザの温冷感覚とに基づいて、前記表示手段の表示態様を変化させる表示制御手段と、
を備える。
【発明の効果】
【００１２】
本発明に係る空気調和機では、表示手段は、吹出口から送出される調和空気に応じた表示を行う。そして、表示制御手段は、調和空気が暖気であるか冷気であるかと、室内に存在するユーザの温冷感覚とに基づいて、表示手段の表示態様を変化させる。例えば、調和空気が暖気、つまり、暖房時である場合において、表示制御手段は、ユーザが寒く感じていると、表示手段を暖色で表示させ、ユーザが暑く感じていると、表示手段を寒色若しくは中間色で表示させる。また、調和空気が冷気、つまり、冷房時である場合において、表示制御手段は、ユーザが暑く感じていると、表示手段を寒色で表示させ、ユーザが寒く感じていると、表示手段を暖色若しくは中間色で表示させる。
このような表示手段の表示により、ユーザは、体感温度が上がるのか下がるのかについて、直感的に把握できる。この結果、ユーザに応じて風量を制御する意図を適切に報知することができる。
【図面の簡単な説明】
【００１３】
【図１】本発明の実施形態１に係る空気調和機の外観の一例を示す斜視図
【図２】それぞれの吹出口から、異なる方向へ調和空気を送出する様子を説明するための平面図
【図３】表示器の一例を示す模式図
【図４】空気調和機の内部の一例を示す断面図
【図５】制御装置の機能構成の一例を示すブロック図
【図６】実施形態１に係る制御処理を説明するためのフローチャート
【図７】（ａ）から（ｅ）が、風向も含めた表示の様子を説明するための模式図
【発明を実施するための形態】
【００１４】
以下、本発明の実施形態について、図面を参照しながら詳細に説明する。なお、以下の説明では、壁掛け式の室内機と室外機とを備える所謂セパレート式の空気調和機を一例とし、その室内機を空気調和機と記す。また、図中同一又は相当部分には同一符号を付す。なお、天井埋め込み型の空気調和機、据え置き型の空気調和機等においても、同様に本発明を適用することができる。
すなわち、以下に説明する実施形態は説明のためのものであり、本発明の範囲を制限するものではない。従って、当業者であればこれらの各要素または全要素をこれと均等なものに置換した実施形態を採用することが可能であるが、これらの実施形態も本発明の範囲に含まれる。
【００１５】
（実施形態１）
図１は、本発明の実施形態１に係る空気調和機１の外観の一例を示す斜視図である。
【００１６】
図示するように、空気調和機１は、筐体１０１、外装ケース１０２、フロントカバー１０３により概ね箱形状の外観を表している。
空気調和機１の上部には、室内の空気を吸い込む吸込口１０４が設けられている。また、空気調和機１の下部には、調和空気を室内に吹き出す吹出口１０５（１０５ａ，１０５ｂ）が設けられている。なお、調和空気は、後述する熱交換器１１２で冷却若しくは加熱がなされた空気である。
【００１７】
吹出口１０５には、上下風向板１０６（１０６ａ，１０６ｂ）、及び、左右風向板１０７（１０７ａ，１０７ｂ）が配置されている。
【００１８】
上下風向板１０６は、吹出口１０５から室内に送出される調和空気の風向を、上下方向、つまり、鉛直方向に調節する。なお、上下風向板１０６ａと上下風向板１０６ｂとには、図示せぬ個別のモータからの駆動力がそれぞれ伝達されるようになっている。
【００１９】
左右風向板１０７は、吹出口１０５から室内に送出される調和空気の風向を、左右方向、つまり、水平方向に調節する。なお、左右風向板１０７ａと左右風向板１０７ｂとには、同様に、個別のモータからの駆動力がそれぞれ伝達されるようになっている。
【００２０】
つまり、上下風向板１０６ａと左右風向板１０７ａとによって、吹出口１０５ａから送出される調和空気の風向が調整される。また、上下風向板１０６ｂと左右風向板１０７ｂとによって、吹出口１０５ｂから送出される調和空気の風向が調整される。
そのため、図２の平面図にて示すように、空気調和機１は、吹出口１０５ａ及び吹出口１０５ｂから、それぞれ異なる方向に調和空気を送出することができる。また、後述するように、調和空気を送出する際の風量についても、吹出口１０５ａと吹出口１０５ｂとで異なる制御が行えるようになっている。
なお、上下風向板１０６、左右風向板１０７、及び、それらを駆動させる個別のモータが、風向機構の一例である。
【００２１】
図１に戻って、空気調和機１の前面中央には、熱画像検出手段の一例である熱画像センサ１０８が配置されている。この熱画像センサ１０８は、例えば、配列された複数の赤外線受光素子が可動機構によって、可動自在に支持されており、予め定められた走査範囲の熱画像データを検出する。具体的に、熱画像センサ１０８は、後述する制御装置１２０に制御され、空気調和機１が配置されている室内空間、つまり、空調エリアを走査して、熱画像データを検出する。
【００２２】
熱画像センサ１０８の左右には、表示手段の一例である表示器１０９（１０９ａ，１０９ｂ）が配置されている。この表示器１０９は、吹出口１０５から送出される調和空気に応じた表示を行う。つまり、表示器１０９ａは、吹出口１０５ａからの調和空気に応じた表示を行い、表示器１０９ｂは、吹出口１０５ｂからの調和空気に応じた表示を行う。このような表示器１０９は、対応する吹出口１０５の近傍に配置されていればよく、例えば、吹出口１０５の内側に配置されてもよい。
【００２３】
表示器１０９は、例えば、ＬＥＤ（Light  Emitting  Diode）アレイであり、図３に示すように、フルカラーＬＥＤ１１０が複数配列されている。
フルカラーＬＥＤ１１０は、例えば、赤色、緑色、及び、青色に発光する３種類のＬＥＤ素子を備えており、各ＬＥＤ素子の光量を調節することで、任意の色を表示可能となっている。例えば、フルカラーＬＥＤ１１０は、寒色、暖色、及び、中間色を表示できるようになっている。なお、寒色は、一例として、青色であり、暖色は、一例として、赤色であり、そして、中間色は、一例として、紫色である。
【００２４】
図４は、空気調和機１の内部の一例を示す断面図である。
【００２５】
図示するように、空気調和機１の内部には、例えば、フィルタ１１１と、熱交換器１１２と、ファン１１３と、ファンモータ１１４とが更に配置されている。また、空気調和機１の背面には、背面取り付け金具１１５が配置されている。なお、吸込口１０４から吹出口１０５に至る通風路内に配置された熱交換器１１２、ファン１１３、及び、ファンモータ１１４が、空調手段の一例である空調機構に含まれる。このような空調機構は、後述する制御装置１２０によって制御され、例えば、暖房モード又は冷房モードで動作し、暖気又は冷気の調和空気を生成する。
【００２６】
フィルタ１１１は、吸込口１０４と熱交換器１１２との間に配置され、吸込口１０４から吸い込む空気に含まれる塵埃を捕捉する。
【００２７】
熱交換器１１２は、例えば、ファン１１３を取り囲むように配置され、図示せぬ室外機との間で循環する冷媒を介して熱交換することで、吸込口１０４から吸い込んだ空気を調和する。例えば、熱交換器１１２は、吸い込んだ空気を冷却，加熱，除湿等する。
【００２８】
ファン１１３（１１３ａ，１１３ｂ）は、例えば、２つのクロスフローファンを備え、回転に伴って、吸込口１０４から空気を吸い込み、その空気をフィルタ１１１、及び、熱交換器１１２を透過させる。そして、熱交換器１１２により調和された空気、つまり、調和空気を、吹出口１０５から室内へ送出させる。なお、ファン１１３ａは、吹出口１０５ａから調和空気を送出し、ファン１１３ｂは、吹出口１０５ｂから調和空気を送出する。
なお、ファン１１３は、これらクロスフローファンに限られず、他に、２つの軸流ファンであってもよい。その場合、ファン１１３は、熱交換器１１２の内側ではなく、熱交換器１１２の外側、一例として、吸込口１０４の直下に配置される。また、ファン１１３が、軸流ファンである場合に、熱交換器１１２は、例えば、側面視でＷ字状に配置される。
【００２９】
ファンモータ１１４（１１４ａ，１１４ｂ）は、例えば、２つの駆動モータであり、ファン１１３を回転させる。つまり、ファンモータ１１４ａが、ファン１１３ａを回転させ、また、ファンモータ１１４ｂが、ファン１１３ｂを回転させることで、吹出口１０５ａ及び吹出口１０５ｂから、それぞれ異なる風量で調和空気を送出することができる。
【００３０】
背面取り付け金具１１５は、空気調和機１を、部屋の壁に取り付けるための器具である。
【００３１】
これらの他にも、空気調和機１は、風向機構、熱画像センサ１０８、表示器１０９、及び、空調機構を制御する制御装置１２０を備えている。なお、風向機構は、上述したように、上下風向板１０６、左右風向板１０７、それらを駆動させる各モータ等である。また、空調機構は、上述したように、熱交換器１１２、ファン１１３、ファンモータ１１４等である。
この制御装置１２０は、例えば、ＣＰＵ（Central Processing Unit）及びメモリを備える。なお、ＣＰＵがメモリに格納されたプログラムを実行することにより、以下に説明する制御装置１２０の各機能が実現される。
【００３２】
図５は、制御装置１２０の機能構成の一例を示すブロック図である。
【００３３】
図示するように、制御装置１２０は、特定手段の一例である画像処理部１２１と、空調制御部１２２と、表示制御手段の一例である表示制御部１２３と、を備える。
【００３４】
画像処理部１２１は、熱画像センサ１０８が検出した熱画像データを取得し、その熱画像データを画像処理して、空調エリア内に人物、つまり、ユーザが存在するかどうかを判別する。そして、人物が存在すると判別した場合に、画像処理部１２１は、存在する人物の温冷感覚を特定する。なお、温冷感覚は、上述したように、その人物が暑く感じているか、又は、寒く感じているかである。
例えば、画像処理部１２１は、熱画像データから、人物領域を抽出できるかどうかを試みて、空調エリア内に人物が存在するかどうかを判別する。具体的に画像処理部１２１は、熱画像データのうち、２０℃から４０℃までの範囲の領域のみを抜き出し、抜き出した領域と人体形状モデルとをパターンマッチングし、人物領域の抽出を試みる。
【００３５】
人物領域を抽出できた、つまり、人物が存在すると判別した場合に、画像処理部１２１は、人物領域の頭部と、手部又は足部との温度差から、その人物の温冷感覚を特定する。なお、手部は、手先であってもよく、また、足部は、足先であってもよい。具体的に、手部又は足部の温度が、頭部の温度よりも一定温度以上低い場合に、画像処理部１２１は、その人物が寒く感じていると特定する。これは、人は寒さを感じると、手先、足先等の末端部から体の中心部へ血液を集めるため、手部、足部の温度が下がることを利用している。逆に、手部又は足部の温度が、頭部の温度と同様に高い場合に、画像処理部１２１は、その人物が暑く感じていると特定する。
【００３６】
空調制御部１２２は、風向機構、つまり、上下風向板１０６、左右風向板１０７、それらを駆動させる各モータ等と、空調機構、つまり、熱交換器１１２、ファン１１３、ファンモータ１１４等とを制御して、個々のユーザに応じて風量を制御して、各ユーザの快適性を向上させる快適運転を行う。
なお、上記の画像処理部１２１によって、空調エリア内に２人の人物であるユーザＡ，Ｂが存在していると判別され、ユーザＡが右エリア、つまり、空気調和機１から見た空調エリアの右側に存在すると判別され、ユーザＢが左エリア、つまり、空気調和機１から見た空調エリアの左側に存在すると判別された場合を一例として、以下説明する。
【００３７】
空調制御部１２２は、ユーザＡ，Ｂの温冷感覚に応じて、吹出口１０５ａ及び吹出口１０５ｂから送出する調和空気の風量をそれぞれ制御する。
例えば、暖房時において、画像処理部１２１により、ユーザＡが寒く感じていると特定され、また、ユーザＢが暑く感じていると特定された場合に、空調制御部１２２は、ファン１１３ａの回転数を上げて、吹出口１０５ａからユーザＡに向けて送出する暖気の風量を強めると共に、ファン１１３ｂの回転数を下げて、吹出口１０５ｂからユーザＢに向けて送出する暖気の風量を弱める。
また、冷房時において、画像処理部１２１により、ユーザＡが寒く感じていると特定され、また、ユーザＢが暑く感じていると特定された場合に、空調制御部１２２は、ファン１１３ａの回転数を下げて、吹出口１０５ａからユーザＡに向けて送出する冷気の風量を弱めると共に、ファン１１３ｂの回転数を上げて、吹出口１０５ｂからユーザＢに向けて送出する冷気の風量を強める。
これらの風量制御により、寒く感じているユーザＡの体感温度を上げると共に、暑く感じているユーザＢの体感温度を下げることができる。
【００３８】
表示制御部１２３は、暖房時であるか冷房時であるかと、上記の画像処理部１２１により特定された人物の温冷感覚とに基づいて、表示器１０９の表示態様を変化させる。
なお、上記と同様に、画像処理部１２１によって、空調エリア内にユーザＡ，Ｂが存在していると判別され、ユーザＡが右エリアに存在すると判別され、ユーザＢが左エリアに存在すると判別された場合を一例として、以下説明する。
【００３９】
表示制御部１２３は、ユーザＡ，Ｂの温冷感覚に応じて、表示器１０９ａ，１０９ｂの表示態様を変化させる。
例えば、暖房時において、画像処理部１２１により、ユーザＡが寒く感じていると特定され、また、ユーザＢが暑く感じていると特定された場合に、表示制御部１２３は、表示器１０９ａを暖色で表示させ、表示器１０９ｂを寒色若しくは中間色で表示させる。なお、表示制御部１２３は、表示器１０９ｂを中間色で表示させる際に、緩やかに点滅させるようにしてもよい。
また、冷房時において、画像処理部１２１により、ユーザＡが暑く感じていると特定され、また、ユーザＢが寒く感じていると特定された場合に、表示制御部１２３は、表示器１０９ａを寒色若しくは中間色で表示させ、表示器１０９ｂを暖色で表示させる。なお、表示制御部１２３は、表示器１０９ａを中間色で表示させる際に、緩やかに点滅させるようにしてもよい。
【００４０】
以下、このような構成の空気調和機１の動作について、図６を参照して説明する。図６は、制御装置１２０が行う制御処理の一例を示すフローチャートである。
【００４１】
まず、制御装置１２０は、熱画像データを取得する（ステップＳ１１）。すなわち、画像処理部１２１は、熱画像センサ１０８が検出した熱画像データを取得する。
【００４２】
制御装置１２０は、右エリア、つまり、空気調和機１から見た空調エリアの右側に人物が存在するか否かを判別する（ステップＳ１２）。すなわち、空調制御部１２２は、熱画像データの右側から、人物領域を抽出できるかどうかを試みて、右エリアに人物が存在するかどうかを判別する。
制御装置１２０は、右エリアに人物が存在しないと判別すると（ステップＳ１２；Ｎｏ）、後述するステップＳ１９に処理を進める。
【００４３】
一方、右エリアに人物が存在すると判別した場合（ステップＳ１２；Ｙｅｓ）に、制御装置１２０は、その人物の温冷感覚を特定する（ステップＳ１３）。すなわち、画像処理部１２１は、人物領域の頭部と、手部又は足部との温度差から、その人物の温冷感覚を特定する。具体的に、手部又は足部の温度が、頭部の温度よりも一定温度以上低い場合に、画像処理部１２１は、その人物が寒く感じていると特定する。逆に、手部又は足部の温度が、頭部の温度と同様に高い場合に、画像処理部１２１は、その人物が暑く感じていると特定する。
【００４４】
制御装置１２０は、ステップＳ１３にて特定した温冷感覚が、寒く感じているであったか否かを判別する（ステップＳ１４）。
制御装置１２０は、寒く感じているであったと判別すると（ステップＳ１４；Ｙｅｓ）、右エリアへの吹出口１０５ａから送出する風量を、動作状態に応じて制御する（ステップＳ１５）。例えば、暖房モード、つまり、暖房時であれば、空調制御部１２２は、ファン１１３ａの回転数を上げて、吹出口１０５ａから右エリアのユーザに向けて送出する暖気の風量を強める。また、冷房モード、つまり、冷房時であれば、空調制御部１２２は、ファン１１３ａの回転数を下げて、吹出口１０５ａから右エリアのユーザに向けて送出する冷気の風量を弱める。
【００４５】
制御装置１２０は、吹出口１０５ａに対応する表示器１０９ａを暖色で表示させる（ステップＳ１６）。すなわち、ステップＳ１４にて、寒く感じているであったと判別されているため、表示制御部１２３は、表示器１０９ａを暖色で表示させる。なお、表示制御部１２３は、冷房モードの場合に、表示器１０９ａを中間色で表示させてもよい。
【００４６】
上述したステップＳ１４にて、寒く感じているではなかった、つまり、暑く感じているであったと判別された場合（ステップＳ１４；Ｎｏ）に、制御装置１２０は、右エリアへの吹出口１０５ａから送出する風量を、動作状態に応じて制御する（ステップＳ１７）。例えば、暖房モードであれば、空調制御部１２２は、ファン１１３ａの回転数を下げて、吹出口１０５ａから右エリアのユーザに向けて送出する暖気の風量を弱める。また、冷房モードであれば、空調制御部１２２は、ファン１１３ａの回転数を上げて、吹出口１０５ａから右エリアのユーザに向けて送出する冷気の風量を強める。
【００４７】
制御装置１２０は、吹出口１０５ａに対応する表示器１０９ａを寒色で表示させる（ステップＳ１８）。すなわち、ステップＳ１４にて、暑く感じているであったと判別されているため、表示制御部１２３は、表示器１０９ａを寒色で表示させる。なお、表示制御部１２３は、暖房モードの場合に、表示器１０９ａを中間色で表示させてもよい。
【００４８】
制御装置１２０は、左エリア、つまり、空気調和機１から見た空調エリアの左側に人物が存在するか否かを判別する（ステップＳ１９）。すなわち、空調制御部１２２は、熱画像データの左側から、人物領域を抽出できるかどうかを試みて、左エリアに人物が存在するかどうかを判別する。
制御装置１２０は、左エリアに人物が存在しないと判別すると（ステップＳ１９；Ｎｏ）、上述したステップＳ１１に処理を戻す。
【００４９】
一方、左エリアに人物が存在すると判別した場合（ステップＳ１９；Ｙｅｓ）に、制御装置１２０は、その人物の温冷感覚を特定する（ステップＳ２０）。すなわち、画像処理部１２１は、人物領域の頭部と、手部又は足部との温度差から、その人物の温冷感覚を特定する。具体的に、手部又は足部の温度が、頭部の温度よりも一定温度以上低い場合に、画像処理部１２１は、その人物が寒く感じていると特定する。逆に、手部又は足部の温度が、頭部の温度と同様に高い場合に、画像処理部１２１は、その人物が暑く感じていると特定する。
【００５０】
制御装置１２０は、ステップＳ２０にて特定した温冷感覚が、寒く感じているであったか否かを判別する（ステップＳ２１）。
制御装置１２０は、寒く感じているであったと判別すると（ステップＳ２１；Ｙｅｓ）、左エリアへの吹出口１０５ｂから送出する風量を、動作状態に応じて制御する（ステップＳ２２）。例えば、暖房モードであれば、空調制御部１２２は、ファン１１３ｂの回転数を上げて、吹出口１０５ｂから左エリアのユーザに向けて送出する暖気の風量を強める。また、冷房モードであれば、空調制御部１２２は、ファン１１３ｂの回転数を下げて、吹出口１０５ｂから左エリアのユーザに向けて送出する冷気の風量を弱める。
【００５１】
制御装置１２０は、吹出口１０５ｂに対応する表示器１０９ｂを暖色で表示させる（ステップＳ２３）。すなわち、ステップＳ２１にて、寒く感じているであったと判別されているため、表示制御部１２３は、表示器１０９ｂを暖色で表示させる。なお、表示制御部１２３は、冷房モードの場合に、表示器１０９ｂを中間色で表示させてもよい。
そして、制御装置１２０は、上述したステップＳ１１に処理を戻す。
【００５２】
上述したステップＳ２１にて、寒く感じているではなかった、つまり、暑く感じているであったと判別された場合（ステップＳ２１；Ｎｏ）に、制御装置１２０は、左エリアへの吹出口１０５ｂから送出する風量を、動作状態に応じて制御する（ステップＳ２４）。例えば、暖房モードであれば、空調制御部１２２は、ファン１１３ｂの回転数を下げて、吹出口１０５ｂから左エリアのユーザに向けて送出する暖気の風量を弱める。また、冷房モードであれば、空調制御部１２２は、ファン１１３ｂの回転数を上げて、吹出口１０５ｂから左エリアのユーザに向けて送出する冷気の風量を強める。
【００５３】
制御装置１２０は、吹出口１０５ｂに対応する表示器１０９ｂを寒色で表示させる（ステップＳ２５）。すなわち、ステップＳ２１にて、暑く感じているであったと判別されているため、表示制御部１２３は、表示器１０９ｂを寒色で表示させる。なお、表示制御部１２３は、暖房モードの場合に、表示器１０９ｂを中間色で表示させてもよい。
そして、制御装置１２０は、上述したステップＳ１１に処理を戻す。
【００５４】
このような制御処理によって、暖房モードで動作している場合において、ユーザが寒く感じていると、制御装置１２０は、表示器１０９を暖色で表示させ、ユーザが暑く感じていると、制御装置１２０は、表示器１０９を寒色若しくは中間色で表示させる。また、冷房モードで動作している場合において、ユーザが暑く感じていると、制御装置１２０は、表示器１０９を寒色で表示させ、ユーザが寒く感じていると、制御装置１２０は、表示器１０９を暖色若しくは中間色で表示させる。
このような表示器１０９の表示により、ユーザは、体感温度が上がるのか下がるのかについて、直感的に把握できる。この結果、ユーザに応じて風量を制御する意図を適切に報知することができる。
【００５５】
また、このような制御処理によって、暖房モードで動作している場合において、右エリアのユーザが寒く感じており、また、左エリアのユーザが暑く感じている場合に、空気調和機は、右エリアのユーザに向けて吹出口１０５ａから送出する暖気の風量を、強める制御を行い、また、左エリアのユーザに向けて吹出口１０５ｂから送出する暖気の風量を、弱める制御を行う。
また、冷房モードで動作している場合において、右エリアのユーザが寒く感じており、また、左エリアのユーザが暑く感じている場合に、空気調和機は、右エリアのユーザに向けて吹出口１０５ａから送出する冷気の風量を、弱める制御を行い、また、左エリアのユーザに向けて吹出口１０５ｂから送出する冷気の風量を、強める制御を行う。
これらにより、寒く感じているユーザの体感温度を上げると共に、暑く感じているユーザの体感温度を下げることができる。つまり、同じ空調エリア内に、温度感覚が異なっている２人のユーザが存在する場合でも、各ユーザの快適性を向上させることができる。
【００５６】
（他の実施形態）
上記の実施形態１では、フルカラーＬＥＤ１１０が複数配列された表示器１０９を用いる場合について説明したが、フルカラーＬＥＤ１１０の代わりに、単色のＬＥＤ素子が複数配列された表示器１０９を用いてもよい。
その場合、暖色、寒色等を、ＬＥＤ素子の輝度を異ならせて表現するようにしてもよい。
【００５７】
上記の実施形態１では、ユーザの温冷感覚に応じて、表示器１０９の表示態様を変化させる場合について説明したが、更に、風向を含めて表示器１０９の表示態様を変化させるようにしてもよい。
例えば、図７（ａ）から（ｅ）に示すように、風向に応じて、左右何れかに点灯させるフルカラーＬＥＤ１１０を時間経過に応じてずらして表示させるようにしてもよい。つまり、表示制御部１２３は、風向方向に流れて点灯するように、表示器１０９を制御してもよい。
【００５８】
上記の実施形態１では、空調エリアに存在するユーザの温冷感覚に応じて、表示器１０９の表示態様を変化させる場合について説明したが、存在するユーザが子供か大人かに応じて、表示器１０９の表示態様を変化させるようにしてもよい。
なお、子供か大人かは、熱画像データにおける人物の身長を算出し、算出した身長が一定値以下であれば、子供と判別し、一定値を超えていれば、大人と判別する。
そして、存在するユーザが子供であれば、暑く感じていると判別して冷やすように制御し、存在するユーザが大人であれば、寒く感じていると判別して冷やさないように制御してもよい。
【００５９】
上記の実施形態１では、吹出口１０５の数が２つの場合について説明したが、吹出口１０５の数は、２つに限られない。例えば、天井埋め込み型の空気調和機１であれば、４つの吹出口１０５を設けてもよい。
【００６０】
本発明は、広義の精神と範囲を逸脱することなく、様々な実施形態及び変形が可能である。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【符号の説明】
【００６１】
１  空気調和機、１０１  筐体、１０２  外装ケース、１０３  フロントカバー、１０４  吸込口、１０５（１０５ａ，１０５ｂ）  吹出口、１０６（１０６ａ，１０６ｂ）  上下風向板、１０７（１０７ａ，１０７ｂ）  左右風向板、１０８  熱画像センサ、１０９（１０９ａ，１０９ｂ）  表示器、１１０  フルカラーＬＥＤ、１１１  フィルタ、１１２  熱交換器、１１３（１１３ａ，１１３ｂ）  ファン、１１４（１１４ａ，１１４ｂ）  ファンモータ、１１５  背面取り付け金具、１２０  制御装置、１２１  画像処理部、１２２  空調制御部、１２３  表示制御部
【図１】
2020098061.tif 000003
【図２】
2020098061.tif 000004
【図３】
2020098061.tif 000005
【図４】
2020098061.tif 000006
【図５】
2020098061.tif 000007
【図６】
2020098061.tif 000008
【図７】
2020098061.tif 000009